(57)【要約】【課題】相手先装置のＦコードを知らない場合であっても、Ｆコード親展通信を実行可能にする。【解決手段】送信側装置は、ＦＡＸ番号が入力されると、入力されたＦＡＸ番号によって相手先装置を特定し、相手先装置に対して親展ボックスの構成情報の取得要求を送信する。相手先装置において、主制御部は、構成情報の取得要求を受信すると、公開可能な親展ボックスのみが抽出された構成情報をＲＡＭから読み出す。そして、構成情報を送信側装置に対して送信する。相手先装置は、親展ボックスの構成情報を受信すると、構成情報をＲＡＭに保存する。送信側装置において、親展通信モードが設定されると、主制御部は、格納されている構成情報からＦコードを読み出してＦコード親展通信を実行する。【選択図】図７
2008172394.tif 000002
【特許請求の範囲】
【請求項１】
親展通信機能を利用するファクシミリ通信方法であって、
相手先装置を特定するための情報が送信側装置に入力されると、送信側装置が、その情報で特定される相手先装置に対して、親展ボックスの構成情報を要求する要求信号を送信し、
前記要求信号を受信した前記相手先装置が、自装置の親展ボックスの構成情報を前記送信側装置に送信し、
前記送信側装置が、前記相手先装置から受信した親展ボックスの構成情報に含まれるＦコードにもとづく親展通信を実行する
ことを特徴とするファクシミリ通信方法。
【請求項２】
親展ボックスの構成情報は、親展ボックス名を含み、
送信側装置が、前記相手先装置から受信した親展ボックスの構成情報に含まれる親展ボックス名を表示し、
送信側装置が、表示した親展ボックスのうちユーザによって選択された親展ボックスに対応するＦコードにもとづく親展通信を実行する
請求項１記載のファクシミリ通信方法。
【請求項３】
親展ボックスの構成情報は、親展ボックスを公開するか否かを示す情報を含み、
相手先装置が、要求信号に応じて、公開することを示す情報を含む親展ボックスの構成情報のみを前記送信側装置に送信する
請求項１または請求項２記載のファクシミリ通信方法。
【請求項４】
親展通信機能を備えたファクシミリ装置において、
相手先装置を特定するための情報が入力されると、その情報で特定される相手先装置に対して、親展ボックスの構成情報を要求する要求信号を送信する要求信号送信手段と、
前記要求信号を受信すると、自装置の親展ボックスの構成情報を前記要求信号の送信元に送信する構成情報送信手段と、
前記相手先装置から受信した親展ボックスの構成情報に含まれるＦコードにもとづいて親展通信を実行する親展通信手段とを備えた
ことを特徴とするファクシミリ装置。
【請求項５】
親展ボックスの構成情報は、親展ボックス名を含み、
前記相手先装置から受信した親展ボックスの構成情報に含まれる親展ボックス名を表示する表示手段を備え、
親展通信手段は、前記表示手段に表示された親展ボックスのうちユーザによって選択された親展ボックスに対応するＦコードにもとづく親展通信を実行する
請求項４記載のファクシミリ装置。
【請求項６】
親展ボックスの構成情報は、親展ボックスを公開するか否かを示す情報を含み、
要求信号に応じて公開することを示す情報を親展ボックスの構成情報に設定する公開選択手段を備え、
構成情報送信手段は、要求信号に応じて、公開することを示す情報を含む親展ボックスの構成情報のみを前記送信側装置に送信する
請求項４または請求項５記載のファクシミリ装置。
【請求項７】
親展通信手段は、要求信号送信手段が要求信号を送信するときに入力された相手先装置を特定するための情報で特定される相手先装置と、親展ボックスの構成情報に含まれるＦコードにもとづく親展通信を実行する
請求項４から請求項６のうちのいずれか１項に記載のファクシミリ装置。
【請求項８】
サーバ装置を含み、親展通信機能を利用するファクシミリ通信システムであって、
相手先装置を特定するための情報が入力されると、前記サーバ装置に対して、親展ボックスの構成情報を要求する要求信号を送信する要求信号送信手段と、
前記要求信号を受信すると、自装置の親展ボックスの構成情報を前記サーバ装置に送信する構成情報送信手段と、
前記相手先装置から受信した親展ボックスの構成情報に含まれるＦコードにもとづいて親展通信を実行する親展通信手段とを含むファクシミリ装置を備え、
前記サーバ装置は、
前記要求信号を受信すると、その要求信号の送信元のファクシミリ装置を認証する処理を行う認証手段と、
前記認証手段が認証に成功すると、前記相手先装置を特定するための情報で特定されるファクシミリ装置に対して前記要求信号を送信するとともに、その要求信号に応じて送信された親展ボックスの構成情報を前記要求信号の送信元のファクシミリ装置に対して送信する構成情報中継手段とを含む
ことを特徴とするファクシミリ通信システム。
【発明の詳細な説明】
【技術分野】
【０００１】
本発明は、送信側ユーザが相手先装置の親展ボックスのＦコードを知らない場合であっても、親展ボックスへのＦコード親展通信を可能にするファクシミリ通信方法、ファクシミリ装置およびファクシミリ通信システムに関する。
【背景技術】
【０００２】
ファクシミリ（以下、ＦＡＸという。）通信において、相手先ＦＡＸ装置（以下、相手先装置という。）内に作成された親展ボックス（ＢＯＸ）にＦＡＸ送信する親展通信が行われることがある。相手先ＦＡＸ装置内に作成された親展ボックスにＦＡＸ送信する親展通信の仕組みとして、ＩＴＵ−Ｔ（国際電気通信連合）勧告にもとづくＦコードを利用した親展通信機能が用いられている（例えば、特許文献１参照。）。
【０００３】
【特許文献１】特開平１０−３２２５２９号公報（段落００２２−００２４、図６）
【発明の開示】
【発明が解決しようとする課題】
【０００４】
ＦＡＸ通信において、送信側ユーザが通信ネットワーク（例えば、公衆交換電話網）における相手先装置を特定するための情報（ＦＡＸ番号）、例えば相手先装置の電話番号のみを入力したのでは、相手先のＦＡＸ装置までしかデータを送信することができない。Ｆコードを利用した親展通信を行う場合、送信側ユーザは、相手先装置内の親展ボックスのＦコードを知らなければ、親展ボックスへのＦＡＸ送信を行うことができない。Ｆコードはある１台のＦＡＸ装置内でのみ有効な識別情報であり、電話番号やメールアドレスのように公衆網でも識別できる固有の情報ではないので、親展ボックスのＦコードを送信側ユーザが知るためには、事前に相手先ユーザと連絡を取り合っておく必要がある。すぐに使用したくても、親展ボックスのＦコードを知らなければ、使用することはできない。
【０００５】
そこで、本発明は、送信側ユーザが、相手先装置における親展ボックスの識別情報（例えばＦコード）を知らない場合であっても、相手先装置に対して親展通信を行うことができるファクシミリ通信方法、ファクシミリ装置およびファクシミリ通信システムを提供することを目的とする。
【課題を解決するための手段】
【０００６】
本発明によるファクシミリ通信方法は、親展通信機能を利用するファクシミリ通信方法であって、相手先装置を特定するための情報が送信側装置に入力されると、送信側装置が、その情報で特定される相手先装置に対して、親展ボックスの構成情報を要求する要求信号を送信し、要求信号を受信した相手先装置が、自装置の親展ボックスの構成情報を送信側装置に送信し、送信側装置が、相手先装置から受信した親展ボックスの構成情報に含まれるＦコードにもとづく親展通信を実行することを特徴とする。
【０００７】
親展ボックスの構成情報が親展ボックス名を含み、送信側装置が、相手先装置から受信した親展ボックスの構成情報に含まれる親展ボックス名を表示し、送信側装置が、表示した親展ボックスのうちユーザによって選択された親展ボックスに対応するＦコードにもとづく親展通信を実行するように構成されていてもよい。
【０００８】
親展ボックスの構成情報が、親展ボックスを公開するか否かを示す情報を含み、相手先装置が、要求信号に応じて、公開することを示す情報を含む親展ボックスの構成情報のみを送信側装置に送信するように構成されていてもよい。
【０００９】
本発明によるファクシミリ装置は、相手先装置を特定するための情報（例えば、相手先装置の電話番号）が入力されると、その情報で特定される相手先装置に対して親展ボックスの構成情報を要求する要求信号を送信する要求信号送信手段と、要求信号を受信すると、自装置の親展ボックスの構成情報を要求信号の送信元に送信する構成情報送信手段と、相手先装置から受信した親展ボックスの構成情報に含まれるＦコードにもとづいて親展通信を実行する親展通信手段とを備えたことを特徴とするファクシミリ装置。
【００１０】
親展ボックスの構成情報が、親展ボックス名を含み、相手先装置から受信した親展ボックスの構成情報に含まれる親展ボックス名を表示する表示手段を備え、親展通信手段が、表示手段に表示された親展ボックスのうちユーザによって選択された親展ボックスに対応するＦコードにもとづく親展通信を実行するように構成されていてもよい。
【００１１】
親展ボックスの構成情報が、親展ボックスを公開するか否かを示す情報を含み、要求信号に応じて公開することを示す情報を親展ボックスの構成情報に設定する公開選択手段を備え、構成情報送信手段が、要求信号に応じて、公開することを示す情報を含む親展ボックスの構成情報のみを送信側装置に送信するように構成されていてもよい。
【００１２】
親展通信手段は、要求信号送信手段が要求信号を送信するときに入力された相手先装置を特定するための情報で特定される相手先装置と、親展ボックスの構成情報に含まれるＦコードにもとづく親展通信を実行する。
【００１３】
本発明によるファクシミリ通信システムは、サーバ装置を含み、親展通信機能を利用するファクシミリ通信システムであって、相手先装置を特定するための情報が入力されると、サーバ装置に対して、親展ボックスの構成情報を要求する要求信号を送信する要求信号送信手段と、要求信号を受信すると、自装置の親展ボックスの構成情報をサーバ装置に送信する構成情報送信手段と、相手先装置から受信した親展ボックスの構成情報に含まれるＦコードにもとづいて親展通信を実行する親展通信手段とを含むファクシミリ装置を備え、サーバ装置が、要求信号を受信すると、その要求信号の送信元のファクシミリ装置を認証する処理を行う認証手段と、認証手段が認証に成功すると、相手先装置を特定するための情報で特定されるファクシミリ装置に対して要求信号を送信するとともに、その要求信号に応じて送信された親展ボックスの構成情報を要求信号の送信元のファクシミリ装置に対して送信する構成情報中継手段とを含むことを特徴とする。
【発明の効果】
【００１４】
本発明によれば、ユーザが相手先装置の親展ボックスのＦコードを知らなくても、Ｆコード親展通信ができる。その理由は、送信側装置が相手先装置のＦコードを取得し、自動的にＦコード親展通信の設定を行うからである。よって、ユーザは、相手先装置の親展ボックスのＦコードを知らなくても、電話番号等の相手先装置を特定するための情報のみ知っていれば、Ｆコード親展通信ができるようになる。
【００１５】
また、公開することを示す情報を含む親展ボックスの構成情報のみを要求信号に応じて送信するように構成されている場合には、見知らぬユーザから親展ボックスに対して送信されることを防ぐことができる。
【発明を実施するための最良の形態】
【００１６】
実施の形態１．
以下、本発明の実施の形態を図面を参照して説明する。図１は、本発明によるファクシミリ装置を含むＦＡＸ通信システムの第１の実施の形態を示すシステム構成図である。ＦＡＸ通信システムは、相手先装置１０ａと、送信側装置１０ｂと、公衆交換電話網（以下、ＰＳＴＮ網という。）１７とを含む。なお、図１では、２つのＦＡＸ装置を含む例が示されているが、ＦＡＸ通信システムには、より多くのＦＡＸ装置が含まれていてもよい。また、本実施の形態では、相手先装置１０ａの構成と送信側装置１０ｂの構成とは同じであるとする。
【００１７】
親展ボックスの構成情報は、例えば、ボックス名・Ｆコード（ＳＵＢ）・ボックスの公開／非公開の識別情報から構成されているが、本発明では、親展ボックスの構成情報のうちボックスの公開／非公開の識別情報が公開になっているデータのみが、相手先装置１０ａから送信側装置１０ｂに取得され、送信側装置１０ｂの画面に表示される。ユーザが画面に表示されたボックス名からＦＡＸ送信するボックス名を選択すると、送信側装置１０ｂは、そのボックスのＦコードをＦＡＸ通信手順におけるＳＵＢ信号に設定して、Ｆコード親展通信を実行する。
【００１８】
図２は、本実施の形態におけるＦＡＸ装置（相手先装置１０ａおよび送信側装置１０ｂ）の構成例を示すブロック図である。本実施の形態のＦＡＸ装置１０は、主制御部１と、画像メモリ２と、モデム３と、網制御部４と、操作表示部５と、画像読取部６と、ＲＡＭ７と、ＲＯＭ８とが、バス９で接続された構成を有する。
【００１９】
主制御部１は、例えばＣＰＵで実現される。主制御部１は、ＦＡＸ装置１０が備える各機能部の制御を行う。主制御部１は、ＲＯＭ８に格納されているプログラムに従ってバス９に接続されている各ハードウェアの動作を制御する。また、主制御部１は、ＲＯＭ８に格納されている各プログラムの実行、バス９を介しての各ハードウェアから他のハードウェアへのデータの移動命令、およびＲＡＭ７に格納されたデータの変換処理など、種々のソフトウェア（すなわち、ＲＯＭ８に格納されているプログラム）にしたがって処理を実行する。
【００２０】
画像メモリ２は、画像読取部６で読み込まれた送信する画像データや、受信された画像データを記憶するための領域として使用される。ＦＡＸ装置１０内に作成された親展ボックスに保存される画像データも画像メモリ２に格納される。
【００２１】
モデム３は、ＰＳＴＮ回線１７に接続されている。モデム３は、主制御部１の制御下で動作し、送信信号の変調および受信信号の復調を行なう機能を有している。
【００２２】
網制御部４は、ＰＳＴＮ回線１７からの発呼に対する自動着呼処理や、回線への自動発呼処理を行い、相手先ＦＡＸ装置との間で相手先ＦＡＸ装置との間でＦＡＸ通信手順（例えば、Ｇ３手順）を実行する。送信側装置１０ｂから相手先装置１０ａに対して、親展ボックス構成情報の取得要求を出す場合、送信側装置１０ｂにおける主制御部１が網制御部４を制御することによって、網制御部４から取得要求が相手先装置１０ａに送信される。なお、要求信号送信手段は、主制御部１と網制御部４とによって実現される。相手先装置１０ａが送信側装置１０ｂからの取得要求を受信する際には、相手先装置１０ａにおける網制御部４が取得要求を受信し、主制御部１が、受信したデータを装置内のＲＡＭ７に格納する。
【００２３】
操作表示部５は、例えばタッチパネルやダイヤル用テンキー、スタートキー等の信号を入力するための各種操作キーと、ＬＣＤ等のディスプレイとで実現される。本実施の形態の操作表示部５は、入力手段と表示手段とを実現する。操作表示部５の操作キーで送信操作等の各種命令の入力操作が行われ、ディスプレイには、操作キーから入力された命令内容やＦＡＸ装置１０からユーザに通知する各種情報が表示される。例えば、親展ボックスの登録、相手先装置の親展ボックス一覧取得、取得したボックス名一覧からボックスの選択、親展ボックスの公開／非公開の設定等の処理が、操作表示部５を操作することにより実行される。具体的には、操作表示部５に入力された信号にしたがって主制御部１が動作し、各ハードウェア間におけるデータのやり取りを実行する。
【００２４】
画像読取部６は、スキャナ等で実現される。画像読取部６は、スキャナ等で原稿を読み取り、画像データを出力する。ＦＡＸ送信用に使用する画像データは画像読取部６によって読み取られ、主制御部１は、その画像データを画像メモリ２へ格納した後ＦＡＸ送信する。
【００２５】
ＲＡＭ７は、主制御部１のワーク用領域として使用され、プログラムの実行時に発生する一時的なデータを記憶する。また、ＲＡＭ７は、装置内に作成された親展ボックスのボックス名やＦコードなどのボックス構成情報、相手先電話番号やＦコードなどの各送信情報を格納する。
【００２６】
図３は、親展ボックスの構成情報の一例を示す説明図である。図４は、公開が許可されている親展ボックスの構成情報の一例を示す説明図である。親展ボックスの構成情報には、ボックス名、Ｆコード（ＳＵＢまたはＳＥＰ）およびボックスの公開／非公開識別情報が含まれている。送信側装置１０ｂにおけるユーザが相手先装置１０ａのＲＡＭ７に格納されている親展ボックスの構成情報を取得する際には、図３に示されているようなデータ形式から、公開可能になっている構成情報を取得する。その場合、相手先装置１０ａにおける親展ボックスの構成情報は、図４に示されているような、公開される親展ボックスの構成情報のみを抽出したデータ形式として、送信側装置１０ｂの主制御部１による取り出しが可能な状態となっている。
【００２７】
図５は、操作表示部５に表示される親展ボックスの構成情報の一例を示す説明図である。送信側装置１０ｂが相手先装置１０ａから親展ボックスの構成情報を取得すると、送信側装置１０ｂにおける主制御部１は、図４に示すようなデータ形式で構成情報をＲＡＭ７に格納する。そして、主制御部１は、操作表示部５の画面に構成情報を表示するときには、図５に示すようなボックス名のみのデータを表示する。
【００２８】
ＲＯＭ８は、ＦＡＸ装置１０の動作に必要なプログラムを格納している。ＲＯＭ８は、相手先装置１０ａの親展ボックスのＦコードを取得して親展通信を行うためのプログラムも格納している。
【００２９】
なお、ＦＡＸ装置１０内に親展ボックスを作成する方法、Ｆコード親展通信を行って相手先装置１０ａ内の特定の親展ボックスにＦＡＸ送信する方法、および親展ボックスから受信データを取り出す方法は、従来の場合と同じである。
【００３０】
次に、作成した親展ボックスに対して、公開／非公開の設定を行う処理、相手先装置１０ａの親展ボックスの構成情報を送信側装置１０ｂが取得する処理、および取得した親展ボックスの構成情報を元にＦコード親展通信を行う処理を、図６を参照して説明する。
【００３１】
図６は、作成した親展ボックスに対する公開／非公開の設定をする際の処理を示すフローチャートである。ＦＡＸ装置１０を使用するユーザは、作成した親展ボックスを公開するか非公開にするかを選択することができる。例えば、相手先装置１０ａにおける親展ボックスが公開可能に設定されている場合、別の装置（例えば、送信側装置１０ｂ）からその親展ボックス構成情報を取出すことができる。一方、親展ボックスが非公開の場合、別の装置からその親展ボックス構成情報の取り出すことはできない。
【００３２】
相手側装置１０ａにおいて、公開親展ボックスを作成する場合には（ステップＳ１０１）、相手先装置１０ａのユーザは、親展ボックスの公開／非公開設定機能を使用することによって、公開する親展ボックスを選択する（ステップＳ１０２）。具体的には、相手側装置１０ａにおいて、操作表示部５に入力された信号にしたがって、主制御部１が、作成されている親展ボックスに一覧を操作表示部５に表示させる。ユーザは、公開を希望する親展ボックスを選択する。なお、公開選択手段は、相手先装置１０ａにおける主制御部１および操作表示部５によって実現される。
【００３３】
相手側装置１０ａにおける主制御部１は、ＲＡＭ７に格納されている各親展ボックスのうち選択された親展ボックスの構成情報における公開／非公開の識別情報を、公開を示す「１」に設定する（ステップＳ１０３）。なお、親展ボックスにおける公開／非公開の識別情報は、デフォルトで非公開の「０」に設定されている。また、公開／非公開の設定は、個々の親展ボックスに対して随時変更可能である。
【００３４】
主制御部１は、図３に示すような親展ボックスの構成情報から、図４に示すような、公開される親展ボックスのみを抽出した構成情報を作成する（ステップＳ１０４）。そして、主制御部１は、作成した構成情報を、ＲＡＭ７における親展ボックスの構成情報とは別の記憶領域に格納する（ステップＳ１０５）。
【００３５】
以上のような処理を実行することにより、相手先装置１０ａにおける親展ボックスの公開／非公開の設定が終了する。
【００３６】
次に、送信側装置１０ｂによる、相手先装置１０ａにおける親展ボックスの構成情報の取得処理を説明する。図７は、相手先装置１０ａから親展ボックスの構成情報を取得する際の処理を示すフローチャートである。相手先装置１０ａの親展ボックスの構成情報を取得する場合には（ステップＳ２０１）、ユーザは、相手先装置１０ａにおける操作表示部５に取得要求を行う旨の信号を入力する（ステップＳ２０２）。このとき、ユーザは、相手先装置１０ａのＦＡＸ番号も入力する。相手先装置１０ａにおける主制御部１は、操作表示部５に入力された信号にしたがって、網制御部４に制御信号を出力する。
【００３７】
相手先装置１０ａにおける網制御部４は、主制御部１からの制御信号にしたがって、相手先装置１０ａに対して親展ボックスの構成情報の取得要求を送信する（ステップＳ２０３）。具体的には、網制御部４は、相手先装置１０ａのＲＡＭ７に格納されている、図４に示すような公開される親展ボックスのみを抽出した構成情報に対する取得要求を、相手先装置１０ａに対して送信する。
【００３８】
相手先装置１０ａにおいて、構成情報の取得要求は、網制御部４で受信される（ステップＳ２０４）。すると、相手先装置１０ａにおける主制御部１は、公開可能な親展ボックスのみが抽出された構成情報を、ＲＡＭ７から読み出す（ステップＳ２０５）。そして、網制御部４は、主制御部１からの制御信号にしたがって、図４に示されているような構成情報を送信側装置１０ｂに対して送信する（ステップＳ２０６）。なお、構成情報送信手段は、相手先装置１０ａにおける主制御部１と、網制御部４と、ＲＡＭ７とで実現される。
【００３９】
送信側装置１０ｂにおいて、相手先装置１０ａが送信した親展ボックスの構成情報は、網制御部４で受信される（ステップＳ２０７）。親展ボックスの構成情報が受信されると、主制御部１は、網制御部４で受信された構成情報をＲＡＭ７に保存する（ステップＳ２０８）。なお、主制御部１は、親展ボックスの構成情報を、相手先装置のＦＡＸ番号（例えば、相手先装置の電話番号）に対応付けてＲＡＭ７に記憶する。
【００４０】
以上のような処理を実行することによって、送信側装置１０ｂは、相手先装置１０ａにおける親展ボックスの構成情報を取得することができる。すなわち、ユーザが、相手先装置１０ａのＦＡＸ番号を入力するだけで、送信側装置１０ｂは、相手先装置１０ａにおける親展ボックスのＦコードを取得する。
【００４１】
次に、取得した親展ボックスの構成情報にもとづいてＦコード親展通信を行う場合の処理について説明する。図８は、取得した親展ボックスの構成情報を元にＦコード親展通信を行う際の処理を示すフローチャートである。送信側装置１０ｂにおいて、主制御部１は、相手先装置１０ａの親展ボックスの構成情報を取得できているかどうか確認する（ステップＳ３０１）。親展ボックスの構成情報を取得できていない場合には（ステップＳ３０１：ＮＯ）、主制御部１は処理を終了する。
【００４２】
なお、この実施の形態では、ステップＳ３０１の処理は図７に示された処理に続いて実行されるが、ＲＡＭ７に相手先装置１０ａの親展ボックスの構成情報が既に記憶されている場合には、相手先装置１０ａのＦＡＸ番号が入力されたときに、図７に示された処理を実行せず、直ちにステップＳ３０１の処理を開始するようにしてもよい。
【００４３】
親展ボックスの構成情報を取得できている場合には（ステップＳ３０１：ＹＥＳ）、主制御部１は、ＲＡＭ７から、相手先装置１０ａのＦＡＸ番号に対応する親展ボックス構成情報を読み出し、操作表示部５に親展ボックス構成情報を表示させる（ステップＳ３０２）。主制御部１は、ＲＡＭ７に格納されている親展ボックス構成情報すなわち図４に示すようなデータの全てを表示させるのではなく、図５に示すような親展ボックス名のみを含むデータに変換した後、変換後のデータを表示させる。
【００４４】
ユーザは、画面に表示された親展ボックス名から、送信したい親展ボックス名を操作表示部５で選択する（ステップＳ３０４）。主制御部１は、操作表示部５に入力された信号にしたがって、送信対象の親展ボックス名を認識する。
【００４５】
主制御部１は、ＲＡＭ７に格納されている親展ボックス構成情報から、ユーザによって選択されたボックス名のＦコードを探す（ステップＳ３０５）。そして、主制御部１は、探し出したＦコードを送信先情報としてＲＡＭ７のＦＡＸ送信情報領域のＦコード（ＳＵＢ）格納部に格納する（ステップＳ３０６）。さらに、主制御部１は、ＲＡＭ７のＦＡＸ送信情報領域における通信モードをＦコード親展通信にする（ステップＳ３０７）。
【００４６】
以上のような処理を実行することにより、取得した親展ボックスの構成情報にもとづくＦコード親展通信の準備が完了する。
【００４７】
その後、ユーザが操作表示部５における送信ボタンを押下すると、主制御部１は、画像読取部６に原稿を読み取らせ、読み取られた内容にもとづく送信データを画像メモリ２に格納させる。そして、主制御部１は、図７に示された親展ボックスの構成情報を取得するための処理を開始するときに入力されたＦＡＸ番号に対して発呼し、送信データの送信を開始する。具体的には、主制御部１は、網制御部４に発呼を行わせ、ＦコードをＲＡＭ７から読み出してＦＡＸ通信手順信号に付加（例えば、ＳＵＢ信号を付加）してモデム３および網制御部４を介してＦＡＸ通信手順を実行し、モデム３および網制御部４を介して、画像メモリ２に格納されている送信データを送信する。なお、画像読取部６は、送信ボタンが押下される前に、原稿を読み取る処理を開始するようにしてもよい。
【００４８】
以上のように、本発明によるファクシミリ装置では、送信側装置１０ｂのユーザが相手先装置１０ａのＦＡＸ番号を操作表示部５から入力するだけで、送信側装置１０ｂが相手先装置１０ａのＦコードを取得し、自動的にＦコード親展通信の設定を行い、Ｆコード親展通信を実行する。
【００４９】
また、本発明によれば、見知らぬユーザから親展ボックスに対して送信されたくない場合は、親展ボックスに対して送信されないようにすることができる。その理由は、ユーザが作成した親展ボックスに対して、公開／非公開を設定できるからである。例えば、見知らぬユーザから親展ボックスに対して送信されたくない場合は、親展ボックスを非公開に設定しておけばよい。
【００５０】
実施の形態２．
次に、本発明による第２の実施の形態を図面を参照して説明する。図９は、ファクシミリ装置を含むＦＡＸ通信システムの第２の実施の形態の構成を示すシステム構成図である。ＦＡＸ通信システムは、相手先装置１０ａと、送信側装置１０ｂと、外部サーバ２０と、通信ネットワークとしてのＬＡＮ１６と、ＰＳＴＮ網１７とを含む。本実施の形態では、送信側装置１０ｂから相手先装置１０ａに対して親展ボックス一覧を取得するための認証を行う際に、外部サーバ２０を利用する。なお、図９には、２つのＦＡＸ装置を含む例が示されているが、ＦＡＸ通信システムは、より多くのＦＡＸ装置を含んでいてもよい。また、通信ネットワークはＬＡＮ１６に限定されない。また、本実施の形態におけるＦＡＸ装置は、第１の実施の形態におけるＦＡＸ装置が備えている構成要素に加えて、ＬＡＮ１６を介してデータを送受信を行うネットワーク制御部１１を有している。
【００５１】
外部サーバ２０は、認証を行うための認証部１２と、データを格納するＲＡＭ１３と、ＬＡＮ１６を介してデータの送受信を行うネットワーク制御部１４と、ユーザの認証情報を管理する管理ＤＢ１５とを含む。
【００５２】
認証部１２は、例えばＣＰＵと図示しない周辺回路とで実現される。認証部１２は、送信側装置１０ｂから送信された認証情報と管理ＤＢ１５に格納されているユーザ情報とを照合する機能を有する。
【００５３】
ネットワーク制御部１４は、例えばＣＰＵと、図示しない周辺回路と、相手先装置１０ａおよび送信側装置１０ｂと通信を行なうための通信インタフェースとによって実現される。ネットワーク制御部１４は、認証情報や親展ボックスの構成情報等を送受信する機能を有する。
【００５４】
次に、本実施の形態におけるＦＡＸ通信システムの動作を説明する。図１０は、本実施の形態におけるＦＡＸ通信システムの動作を示すフローチャートである。本実施の形態におけるＦＡＸ通信システムは、外部サーバを利用して認証を行い、相手先装置の親展ボックス一覧を取得する。
【００５５】
外部サーバ２０の管理者は、外部サーバ２０内のＲＡＭ１３における管理ＤＢ１５に対して、あらかじめ認証を行うためのユーザＩＤやパスワードなどの認証情報を登録しておく。
【００５６】
送信側装置１０ｂにおける操作表示部５にユーザが認証情報を入力すると（ステップＳ５０１）、主制御部１は、入力された認証情報を外部サーバ２０に送信する（ステップＳ５０２）。具体的には、送信側ユーザが相手先装置の親展ボックスの一覧を取得するために認証情報を操作表示部５に入力すると、ネットワーク制御部１１ｂは、主制御部１からの制御信号にしたがって、外部サーバ２０に対して認証情報を送信する。なお、ユーザは、認証情報を入力するときに相手先装置１０ａを特定可能な情報も入力し、送信側装置１０ｂにおける主制御部１は、相手先装置１０ａを特定可能な情報も外部サーバ２０に送信する。
【００５７】
外部サーバ２０におけるネットワーク制御部１４は、送信側装置１０ｂから送信されてきた認証情報を受信する。すると、認証部１２は、管理ＤＢ１５に登録されている認証情報（ユーザ情報）と受信した認証情報とが合致するかどうかを判断する（ステップＳ５０３）。そして、ステップＳ５０３の処理の認証結果にもとづいて認証を許可するか否か決定する（ステップＳ５０４）。認証を許可するということは、認証に成功したということである。
【００５８】
認証部１２が認証を許可した場合（ステップＳ５０４：ＹＥＳ）、ネットワーク制御部１４は、相手先装置１０ａに対して親展ボックスの構成情報の取得要求を送信する（ステップＳ５０５）。相手先装置１０ａにおいて、外部サーバ２０から親展ボックス一覧の取得要求が受信されると、主制御部１は、ＲＡＭ７に格納されている親展ボックス一覧を取り出し、ネットワーク制御部１１ａから外部サーバ２０に対して送信する（ステップＳ５０６）。
【００５９】
外部サーバ２０のネットワーク制御部１４は、親展ボックス一覧を受信し、認証情報を送信してきた送信側装置１０ｂに対して送信する（ステップＳ５０７）。送信側装置１０ｂにおいて、ネットワーク制御部１１ｂで親展ボックス一覧が受信されると、主制御部１は、それをＲＡＭ７に格納する（ステップＳ５０８）。以上のような処理によって、送信側装置１０ｂは、親展ボックス一覧の取得を完了する。
【００６０】
なお、本実施の形態における親展ボックス一覧の構成情報は、第１の実施の形態の場合と同じである。したがって、第１の実施の形態と同じように、第２の実施の形態における送信側装置１０ｂは、図４に示されたような状態で親展ボックスの構成情報を取得する。
【００６１】
認証部１２が認証を許可しない（認証に失敗した）場合（ステップＳ５０４：ＮＯ）、ネットワーク制御部１４は、送信側装置１０ｂに対して認証不許可情報を送信する（ステップＳ５０９）。送信側装置１０ｂにおいて、認証不許可情報が受信されるとと、主制御部１は、認証が不許可（認証に失敗）であったことをユーザに知らせる（ステップＳ５１０）。具体的には、主制御部１からの制御信号にしたがって、操作表示部５が認証不許可を示すメッセージを表示する。
【００６２】
なお、本実施の形態におけるＦコード親展通信の処理は、第１の実施の形態における処理と同様に実行される。すなわち、本実施の形態における送信側装置１０ｂは、外部サーバ２０を介して取得したＦコードにもとづいて、Ｆコード親展通信を実行する。
【産業上の利用可能性】
【００６３】
本発明は、親展機能を有するファクシミリ装置に好適に適用される。
【図面の簡単な説明】
【００６４】
【図１】ファクシミリ装置を含むＦＡＸ通信システムの第１の実施の形態を示すシステム構成図である。
【図２】第１の実施の形態におけるＦＡＸ装置の構成例を示すブロック図である。
【図３】親展ボックスの構成情報の一例を示す説明図である。
【図４】公開が許可されている親展ボックスの構成情報の一例を示す説明図である。
【図５】操作表示部に表示される親展ボックスの構成情報の一例を示す説明図である。
【図６】作成した親展ボックスに対する公開／非公開の設定をする際の処理を示すフローチャートである。
【図７】相手先装置から親展ボックスの構成情報を取得する際の処理を示すフローチャートである。
【図８】取得した親展ボックスの構成情報を元にＦコード親展通信を行う際の処理を示すフローチャートである。
【図９】ファクシミリ装置を含むＦＡＸ通信システムの第２の実施の形態を示すシステム構成図である。
【図１０】第２の実施の形態のＦＡＸ通信システムの動作を示すフローチャートである。
【符号の説明】
【００６５】
１  主制御部
２  画像メモリ
３  モデム
４  網制御部
５  操作表示部
６  画像読取部
７，１３  ＲＡＭ
８  ＲＯＭ
９  バス
１０  ＦＡＸ装置
１１，１４  ネットワーク制御部
１２  認証部
１５  管理データベース
１６  ＬＡＮ
１７  公衆交換電話網
２０  外部サーバ
【図１】
2008172394.tif 000003
【図２】
2008172394.tif 000004
【図３】
2008172394.tif 000005
【図４】
2008172394.tif 000006
【図５】
2008172394.tif 000007
【図６】
2008172394.tif 000008
【図７】
2008172394.tif 000009
【図８】
2008172394.tif 000010
【図９】
2008172394.tif 000011
【図１０】
2008172394.tif 000012